(57)【要約】【課題】テンプレートを用いた画像編集において、画像データの嵌め込みを必要としない場合、それに対応したテンプレートを注文者が容易に選択できる画像編集装置を提供する。【解決手段】画像データが格納された記録媒体から画像データを読み込むためのメディア駆動部１０と、画像データの読み込みがされているか否かを検出する検知部２２１と、読み込まれた画像データの画像嵌め込みが不要な第１テンプレートと画像嵌め込みが必要な第２テンプレートを保存するテンプレート保存部１４０と、テンプレートを画面に表示させるテンプレート表示部４１１と、テンプレート表示部４１１により表示させるべきテンプレートの種類を制御するテンプレート制御部４２２と、を備え、このテンプレート制御部４２２は、検知部２２１による画像データの読み込みが検出されていないとき、テンプレート表示部４１１に第１テンプレートのみを表示させる。【選択図】図２
2010231380.tif 000002
【特許請求の範囲】
【請求項１】
テンプレートを使用して画像編集を行う画像編集装置であって、
画像データが格納された記録媒体から画像データを読み込むための画像読取部と、
画像データの読み込みがされているか否かを検出する読み込み検出部と、
読み込まれた前記画像データの画像嵌め込みが不要な第１テンプレートと前記画像嵌め込みが必要な第２テンプレートを保存するテンプレート保存部と、
テンプレートを画面に表示させるテンプレート表示部と、
テンプレート表示部により表示させるべきテンプレートの種類を制御するテンプレート制御部と、を備え、このテンプレート制御部は、読み込み検出部による画像データの読み込みが検出されていないとき、テンプレート表示部に前記第１テンプレートのみを表示させるように制御する画像編集装置。
【請求項２】
前記テンプレート制御部は、第１テンプレートのみが表示されている時に画像データの読み込みが検出されると、第２テンプレートの表示も合わせて行うように制御する請求項１に記載の画像編集装置。
【発明の詳細な説明】
【技術分野】
【０００１】
本発明は、テンプレートを使用して画像編集を行う画像編集装置に関するものである。
【背景技術】
【０００２】
写真店（ミニラボ店とも称される。）では、顧客がデジタル画像データを持ち込み、店内に設置された注文装置で顧客自らが写真プリントの注文を行なえる。この注文装置として、例えば、特許文献１が知られている。
【０００３】
また、写真プリントのサービスとして、単にデジタルカメラで撮影された画像データをプリントするのではなく、種々のテンプレートを用いて、このテンプレートに画像データをはめ込み合成することで、多様なサービスを提供できるようになっている。例えば、特許文献２では、テンプレートに画像データを合成することでアルバムプリントが作成される技術が開示されている。
【先行技術文献】
【特許文献】
【０００４】
【特許文献１】特開２００６−１０３１００号公報
【特許文献２】特開２００１−９６８３３号公報
【発明の概要】
【発明が解決しようとする課題】
【０００５】
テンプレートを用いた画像編集により、種々のプリントサービスを提供できるようになっている。通常のサービスは、テンプレートに画像データを嵌め込み合成するものであるが、画像データの嵌め込み合成を不要とするテンプレートも存在する。例えば、名刺プリントを作成する場合、顔写真の画像データを使用せずに、予め用意された似顔絵（イラスト）の入ったテンプレートを使用するサービスが考えられる。かかる場合、写真店の店頭に設置された注文装置を使用する注文者が、そのようなテンプレートを容易に選択しやすいような工夫を行う必要がある。
【０００６】
本発明は上記実情に鑑みてなされたものであり、その課題は、テンプレートを用いた画像編集において、画像データの嵌め込みを必要としない場合、それに対応したテンプレートを注文者が容易に選択できる画像編集装置を提供することである。
【課題を解決するための手段】
【０００７】
上記課題を解決するため本発明に係る画像編集装置は、テンプレートを使用して画像編集を行う画像編集装置であって、
画像データが格納された記録媒体から画像データを読み込むための画像読取部と、
画像データの読み込みがされているか否かを検出する読み込み検出部と、
読み込まれた前記画像データの画像嵌め込みが不要な第１テンプレートと前記画像嵌め込みが必要な第２テンプレートを保存するテンプレート保存部と、
テンプレートを画面に表示させるテンプレート表示部と、
テンプレート表示部により表示させるべきテンプレートの種類を制御するテンプレート制御部と、を備え、このテンプレート制御部は、読み込み検出部による画像データの読み込みが検出されていないとき、テンプレート表示部に前記第１テンプレートのみを表示させるように制御することを特徴とするものである。
【０００８】
かかる構成による画像編集装置の作用・効果を説明する。記録媒体に格納された画像データは、画像読取部を介して読み込まれる。この場合、読み込み検出部により画像データの読み込みがされているか否かを検出する。一方、テンプレート保存部には、読み込まれた画像データの画像の嵌め込みが不要な第１テンプレートと、画像の嵌め込みが必要な第２テンプレートが保存されている。そして、画像データ読み込みがされていない場合、第１テンプレートのみが表示されるように制御する。したがって、必要のない第２テンプレートが表示されないので、テンプレートの選択をする時間を短縮化することができ、容易にテンプレートの選択を行うことができる。その結果、画像データの嵌め込みを必要としない場合、それに対応したテンプレートを注文者が容易に選択可能な画像編集装置を提供することができる。
【０００９】
なお、第１・第２テンプレートは、共に、文字情報等のテキストデータ等が入力できるように構成されていてもよい。この文字情報等のテキストデータ等は、はめ込み合成される画像データとは異なるデータとして定義される。
【００１０】
本発明において、前記テンプレート制御部は、第１テンプレートのみが表示されている時に画像データの読み込みが検出されると、第２テンプレートの表示も合わせて行うように制御することが好ましい。
【００１１】
画像データの読み込みがされると、画像データの嵌め込み合成のできる第２テンプレートを選択できるようにする必要がある。そこで、上記のように画像データの読み込みの検出に基づいて、第２テンプレートの表示を合わせて行うことで、注文者にとって使い勝手の良い画像編集装置とすることができる。
【００１２】
本発明において、「オーダー」は、写真プリントを作成する場合の注文単位である。「１オーダ」は、フィルム１本分あるいは複数本分、記憶媒体１個分あるいは複数個分、データフォルダ１個分あるいは複数個分についてのプリント注文に係る画像データ群を指すものであるが、これに限定されるものではなく、１オーダーの概念はオペレータ、注文者により適宜設定することができる。
【００１３】
「画像データ」は、例えば、画像、文字、記号、またはそれらの組み合わせで構成されるデジタルデータが挙げられる。以下、同様である。
【図面の簡単な説明】
【００１４】
【図１】写真処理システムの一例について説明するための図
【図２】注文装置の機能構成について説明するための図
【図３】注文操作のフローチャート
【図４】注文操作画面の一例について説明するための図
【図５】注文操作画面の一例について説明するための図
【図６】注文操作画面の一例について説明するための図
【図７】注文操作画面の一例について説明するための図
【図８】注文操作画面の一例について説明するための図
【図９】注文操作画面の一例について説明するための図
【図１０】注文操作画面の一例について説明するための図
【図１１】注文操作画面の一例について説明するための図
【図１２】注文操作画面の一例について説明するための図
【図１３】注文操作画面の一例について説明するための図
【図１４】注文操作画面の一例について説明するための図
【図１５】注文操作画面の一例について説明するための図
【図１６】注文操作画面の一例について説明するための図
【発明を実施するための形態】
【００１５】
本発明に係る画像編集装置の機能を注文装置の機能に含めた実施形態について、図面を用いて説明する。図１は、写真店に設置される写真処理システムの構成の一例を示している。プリンタの種類、設置台数は図１に限定されない。また、画像処理装置５、プリント注文受付のための注文装置１の設置台数も図１に限定されない。写真処理システムを構成するそれぞれの装置はお互いがＬＡＮ等のネットワークによって接続されている。
【００１６】
＜システムの構成＞
この写真処理システムは、写真プリントの作成や記憶媒体への画像書き込みといった画像記録を行うためのシステムである。写真プリントの注文に係る画像データは、顧客が自ら持参した記憶媒体（以下ではメディアと称する）に記録されている。顧客は、注文装置１を操作し、メディアに記録された画像データに基づく写真プリントの注文を行なえる。また、注文に係る画像データは、ネガフィルムからスキャナー（不図示）を用いて読みとることもできる。また、注文者が自宅のＰＣや携帯端末からインターネットを経由し、写真店のサーバにアクセスし注文する、いわゆるオンラインプリント注文も可能である。オンラインプリント注文は公知の構成であり詳細な説明は省略する。
【００１７】
銀塩式プリンタは、画像データに基づいて写真プリントの作成を行える。写真プリントの作成を行う場合は、プリント用に処理されたプリント用画像データを露光エンジンに送信し、ペーパー等の写真感光材料に画像を焼付露光する。画像が焼付露光されたペーパーを現像処理することで、写真プリントを作成することができる。
【００１８】
インクジェットプリンタは、各種データ通信のための通信部を備え、この通信部は、画像処理装置５からプリント用画像データを受信し、メモリに保存する。また、インクジェットプリンタは、ＲＩＰ処理部を有し、このＲＩＰ処理部はＲＩＰ処理を実行する機能である。ＲＩＰ処理部は、写真プリント処理に係るＲＧＢ画像データのプリント用画像データを、ＲＩＰ処理し、ＣＭＹＫごとのグレースケールデータに展開する。そして、印刷部は、ＣＭＹＫごとのグレースケールデータに基づいて印刷処理する。印刷部は、ＣＭＹＫのそれぞれのプリントヘッドを備えている。プリントヘッドは、間欠搬送される用紙に対し、プリントヘッドが主走査方向に一走査し、この走査時に、各色のインク吐出ノズルからインクが吐出し、用紙の表面に付着する。この間欠搬送、主走査動作およびインク吐出動作を繰り返すことで、用紙の印刷領域に画像が形成される。インク吐出の方法としては、インクが充填された圧力室内の容積がピエゾ素子によって変化することで、圧力室に連通するインク吐出ノズルからインクを吐出する一般的なピエゾ方式が例示される。
【００１９】
また、不図示の媒体書き込み装置は、ＣＤ−Ｒ（記憶媒体の一例）等のメディアに画像データの書き込みを行う機能を有する。画像処理装置５から画像データを媒体書き込み装置に送信することで、ＣＤ−Ｒ等のメディアに画像データを書き込むことができる。
【００２０】
（注文装置）
注文装置１は、顧客により操作されるものであり、画像データの受付と注文内容の設定等を行うことができる。注文装置１は、それ自身が画像形成プリンタの機能を有していてもよい。例えば、熱昇華型のプリンタを内蔵している。この場合、ネットワークに接続された他の装置と関係なく、独立してプリント処理を行うこともできる。注文装置１は、画像形成用のプリンタを内蔵していない場合、あるいは他のプリンタで写真プリント（またはメディアへの書込み処理）をする場合には、ネットワーク経由で画像処理装置５あるいは直接にプリンタ側にプリント対象の画像データを転送する。画像処理装置５については後述する。
【００２１】
注文装置１は、メディア駆動部１０（画像読取部に相当）を備えており、各種メディアＡに格納されている画像データを内部に取り込むことができる。メディアＡとしては、ＣＤ−Ｒ、デジタルカメラ用の記憶メディア、ＭＯディスクなどが例としてあげられる。また、フラットベッドスキャナー（不図示）により、写真フィルムのない写真プリントから画像データを取得することができる。また、注文装置１は、モニター１２を備えており、入力された画像データを画面に表示させることができる。また、注文内容の設定などは、モニター画面に設けられたタッチパネル１３により行うことができる。もちろん、キーボードやマウスなどの入力手段を設けてもよい。
【００２２】
注文装置１は、受付証発行部１１を備えており、注文内容が確定すると、受付証をプリントアウトする。受付証には、注文内容、課金情報、顧客情報などがプリントされる。この受付証を写真店の担当者に渡すことで、画像記録や料金支払いなどが行われる。
【００２３】
注文装置１の構成を図２の機能ブロック図により説明する。注文装置１は、システムＣを備えており、各種ハードウェアとはインターフェースを介して接続される。すなわち、メディア駆動部１０、受付証発行部１１、モニター１２、タッチパネル１３、ハードディスク１４がインターフェースを介して接続される。ハードディスク１４は、メディア駆動部１０を介して取得した画像データを一時的に保存することができる機能を有してしいる。また、ハードディスク１４に、オーダー情報を保存しておくこともできる。ハードディスク１４は、大容量保存手段としての機能の他にＣＰＵ実行の際の作業領域として機能してもよい。また、システムＣ側には不図示のＣＰＵまたはＭＰＵ、メモリ（ＲＯＭ、ＲＡＭ等）が具備されている。
【００２４】
インクジェットプリンタにより写真プリントの作成を行う場合は、適宜のタイミングで画像データを含む注文に関するオーダー情報のデータを、ネットワーク・インターフェース１５を介してネットワークへ送出し、画像処理装置５または直接に各種プリンタに送信する構成である。
【００２５】
（基本処理手段とサービス処理手段）
注文装置１は、基本処理手段２０とサービス処理手段４０、５０、６０とを有している。サービス処理手段は、サービス内容に応じた注文処理を実行する機能であり、例えば、普通プリント、アルバムプリント、コラージュプリント、シャッフルプリント、名刺プリント、はがきプリント、各種サイズによるコレクションプリント、写真集、各種記憶媒体への書き込み処理単位に構成される。サービス処理手段のそれぞれは、その他のサービス処理手段と独立して機能し、任意のサービス処理手段の変更が、その他のサービス処理手段に影響を与えることがないように構成されている。
【００２６】
なお、本実施形態において、説明のために例示するサービスは、名刺プリントに関するものであり、所定サイズのプリントサイズを有しており、表裏両面にプリントされる。名刺プリントのプリントサイズは、５５×８９ｍｍ、４０×８９ｍｍ、６３．５×８９mmなどが用意されている。ただし、プリントサイズについては、適宜設定できるものであり、上記に限定されるものではない。
【００２７】
また、基本処理手段２０、サービス処理手段４０、５０、６０、共有ライブラリ手段３０の情報伝達（例えば、データ、機能の呼び出し）は、例えば、以下のように定義されてもよい。（１）共有ライブラリ手段との情報伝達は、基本処理手段、サービス処理手段共に自由にできる。（２）基本処理手段とサービス処理手段の情報伝達は自由にできる。（３）サービス処理手段間の情報伝達は禁止する。これによりサービス処理手段間の依存性をなくし、任意のサービス処理手段の変更がその他のサービス処理手段に影響を与えないようにでき、個々のサービス処理手段の追加、変更、削除を自由に行える。（４）基本処理手段を経由したサービス処理手段間の情報伝達を可能に設定するオプションを有する。
【００２８】
基本処理手段２０とサービス処理手段４０、５０、６０との情報伝達は、インターフェースによって行われる。サービス処理手段の追加、削除を他のサービス処理手段への影響を無くすために、所定の規則に従ったインターフェースが構築されている。
【００２９】
基本処理手段２０は、複数種の注文処理に共通に用いられる基本処理を実行する機能である。基本処理は、例えば、記憶媒体からの画像データ読み取り処理、注文確定・蓄積処理（カート）の管理、プリンタの操作処理、各種データ転送処理が挙げられる。基本処理手段２０は、例えば、基本制御部２２、基本ＧＵＩ部２１の機能を有する。比較的変更が多い「見た目」の部分（注文操作画面等の表示される処理部分）と、比較的変更が少ない「見た目以外」の部分を分離して構築し、頻繁に発生する見た目の変化による影響を局所化できる効果がある。サービス処理手段４０も同様に、サービスＧＵＩ部４１とサービス制御部４２とを有する。
【００３０】
基本処理手段２０の基本制御部２２の機能について以下に説明する。メディアから画像データを読み込む処理は、サービス処理手段による注文処理手順に依存せずに、または注文処理操作中いつでも実行できる。検知部２２１（読み込み検出部に相当）は、メディアＡがメディア駆動部１０に挿入されたことを示す信号を検知する。これによって、読取制御部２２２は、メディアＡに記録されている画像データを読み取る。読み込まれた画像データはハードディスク１４に保存される。画像データを読み取る場合に、Ｅｘｉｆ情報中のサムネイル画像データを読み込むように構成でき、また、読み込まれた画像データのサムネイル画像を表示するように構成できる。
【００３１】
読み込まれた画像データは、基本ＧＵＩ部２１の一覧表示部２１１の機能によって、モニター１２の画面に表示される。その表示の一例として図１６が例示される。図１６は、モニター１２の画面に一覧表示される例を示す。図示はしないが、画面の表示領域を分割して、分割された下部に表示してもよい。この画面の表示領域を分割して表示する機能は、後述するサービス処理手段４０のサービスＧＵＩ部４１の機能による。
【００３２】
絞込み検索部２２３は、各種絞り込み条件１５０１に応じて画像データを絞り込む機能である。例えば、「全て」を指示（タッチ）し、「写真の絞り込み」１５０２を指示すれば、すべての画像が表示エリア１５０３に表示される。「撮影日」を指示すると、さらに絞り込み条件「昨日と今日」、「最近１週間」、「最近１ヶ月」等が表示され（不図示）、例えば「最近１週間」を指示し、「写真の絞り込み」１５０２を指示すれば、最近１週間の撮影日の画像のみが表示エリア１５０３に表示される。表示エリア１５０３の任意の画像を指示すれば（２重枠の１５０３ａ）は、拡大画像が拡大表示エリア１５０４に表示される。「展開」ボタン１５０５を指示すれば、表示エリア１５０３に表示されている画像が、実行中のサービス処理手段の注文処理に、展開部２２４の機能によって反映される。
【００３３】
サービス処理手段４０、５０、６０は、サービス内容に応じた注文処理を実行する機能であり、例えば、サービス処理手段４０は、コラージュプリントの注文処理機能であり、サービス処理手段５０は、アルバムプリント、サービス処理手段６０は、名刺プリントの注文処理機能として構成できる。他のサービスも任意に注文装置１に追加できる。
【００３４】
サービス処理手段４０を例にして説明する。サービス処理手段４０は、例えば、画像処理部（不図示）、サービス制御部４２、サービスＧＵＩ部４１の機能を有する。
【００３５】
サービス制御部４２のモード制御部４２１は、注文者の画像データを用いずに、注文操作を行う第１モードと、注文者の画像データを用いて、注文操作を行う第２モードとを制御する機能を有する。初期設定として第１モードに設定されている。注文者は、自由なタイミングでメディアを挿入し、画像データを注文装置１に読み込ませ、第１モードから第２モードへと移行することができる。展開部２２４の機能によって、メディアから読み込まれて選択された画像データがサービス処理手段４０の注文操作に反映され、画像データを用いた第２モードに自由に切り替えることができる。
【００３６】
（テンプレートを使用したプリントサービス）
本発明に係るシステムにおいては、テンプレートを用いた画像編集を行い、その結果作成されたプリントデータを用いて写真プリントが作成される。テンプレートには、通常、画像データを嵌め込み合成したり、テキストデータなどを挿入する機能が備えられているが、画像データの嵌め込みを行わないテンプレートも多数用意されている。ここで画像データの嵌め込み合成を行わないテンプレートを第１テンプレート、嵌め込み合成を行うテンプレートを第２テンプレートと称する。画像データの嵌め込みを行わない場合でも、テキストデータの入力などは行うことができる。
【００３７】
本発明に係るプリントサービスのうち、テンプレートを使用したプリントサービスについて説明する。また、テンプレートを使用したプリントには、名刺プリントがある。名刺プリントサービスのため、上記の第１テンプレートと、第２テンプレートが用意されている。
【００３８】
ここで第１テンプレートとしては、似顔絵がデザインされたもの、動物などのキャラクターがデザインされたものなどが用意される。ビジネス用としては、会社のロゴマークがデザインされたものや、その会社の代表的な製品や新しく発売された新製品の外観画像などがデザインされたものが用意される。そのほかに、趣味として自分の描いた絵画、撮影した写真やスケッチ、有名な遺跡物や絵画などをデザインしたものを第１テンプレートとして用意できる。したがって、特定のデザインのものに限定されるものではない。
【００３９】
第２テンプレートとしては、画像データを嵌め込むエリアが設けられており、メディアに格納されている画像データを読み込むことで、自分の顔画像データやその他の画像データを嵌め込み合成することができる。
【００４０】
上記の第１テンプレートと第２テンプレートは、ハードディスク１４にテンプレート保存部１４０を設定し、保存される。テンプレートは任意に追加することができ、不要なテンプレートを削除することもできる。各テンプレートは、属性データとして、画像の嵌め込みを行うものであるか否かというデータを有している。その他の属性データとして、そのテンプレートが表用であるか、裏用であるか、表裏両方に使用可能であるかを示すデータがある。また、どの用途に適したテンプレートであるか、すなわち、名刺用か、子供の成長記録用か、メッセージ作成用か、などのデータがある。
【００４１】
テンプレートはプリントサイズに基づいてテンプレートデータが作成されている。同じデザインでプリントサイズ毎にテンプレートが用意されているものもあるし、プリントサイズは１通りだけのテンプレートもある。また、テンプレートには、表用のテンプレート、裏用のテンプレート、表裏両方に使用可能なテンプレートがある。また、同じデザインであって、画像データの嵌め込みを行うエリアを有しているものと、当該エリアに似顔絵等のイラストが描かれているものがあり、前者は第２テンプレートに相当し、後者は第１テンプレートに相当する。
【００４２】
図２において、テンプレート表示部４１１は、テンプレート保存部１４０に保存されているテンプレートをモニター１２に表示させる。テンプレートは多数が保存されており、選択可能なテンプレートの全てを表示させるようにする。
【００４３】
テンプレート制御部４２２は、メディア駆動部１０にメディアが挿入されていないときは、第１テンプレートのみを表示させるように、前記テンプレート表示部４１１を制御する。これは、はめ込むべき画像データを読み込むことができない状態であり、そのような第２テンプレートの表示は不要であると考えられるからである。不要なテンプレートの表示をなくすことで、注文者によるテンプレートの選択作業を容易にさせることができる。ただし、第１テンプレートのみが表示されている時に、メディアの挿入がなされて画像データの読み込みを検知部２２１により検出すると、第２テンプレートの表示も合わせて行うようにする。メディアの挿入により、注文者が画像データの嵌め込みを行う第２テンプレートを必要としていると考えられるからである。
【００４４】
テンプレート選択部４２３は、表示されている多数のテンプレートの中から特定のものを選択する機能を提供する。例えば、上記の多数の表示されている第１テンプレートのうちの１つをクリックもしくはタッチすることで、当該テンプレートを選択できる。テンプレートの選択は、表用テンプレートと裏用のテンプレートを別々に選択することになるが、いずれを先に選択させるかは任意である。また、片面プリントの場合は、表用のテンプレートのみが選択される。
【００４５】
サービスＧＵＩ部４１と、サービス制御部４２は、その他に画像編集のための種々の機能を提供することができる。
【００４６】
基本ＧＵＩ部２１、サービスＧＵＩ部４１は、モニター１２に表示させる注文処理操作の表示内容を制御し、注文受付操作を顧客が行い易いように、種々の操作に係る表示画面を提供する。操作画面のデータは不図示のメモリに保存されている。
【００４７】
共有ライブラリ手段３０は、基本処理手段２０とサービス処理手段４０、５０、６０が共有で使用し、かつサービス処理手段４０、５０、６０の独立性を低下させないような機能や処理を実行する機能である。
【００４８】
システムＣの各機能は、例えば、コンピュータプログラムとＣＰＵおよびメモリ等の協働作用により実現することができ、このプログラムは、不図示のＲＯＭに記憶されている。また、システムＣを専用回路、ファームウエア等で構成してもよく、それらの組み合わせ構成としてもよい。また、基本処理手段２０を専用回路、ファームウエア等で構成してもよく、サービス処理手段４０、５０、６０をコンピュータプログラムとＣＰＵおよびメモリ等の協働作用により実現してもよい。
【００４９】
（画像処理装置）
画像処理装置５は、オーダー単位に画像データを管理する機能を有している。また、オーダー単位に写真プリント処理、メディアへの書込み処理を制御する機能を有している。以下において、画像処理装置５の主要な構成要素の一例について説明するが、これに限定されない。
【００５０】
画像処理装置５は、不図示のオーダー情報保存手段を備え、オーダー情報を保存する機能を有している。また、画像処理装置５は、写真プリント注文に係る画像データやオーダー情報を管理制御するオーダー管理手段を備えている。オーダー管理手段は、プリント処理に関し、プリンタの設定、プリント順序等を設定できる。また、プリント順序に関し、モニターにオーダー情報を表示させ、プリント順序を変更する機能も有する。
【００５１】
オーダー情報保存手段は、後述するプレジャッジ処理されて設定された補正情報、画像データ、オーダー情報等を保存している。また、画像データは、補正情報に基づいて画像処理された後のデータでもよい。また、画像処理装置５は、各種操作画面を表示するためのモニター等の表示手段と、各種の入力用にキーボード、マウス等の入力手段を備える。
【００５２】
（ジャッジ処理）
ジャッジ手段は、画像データに対するプレジャッジ処理を実行する機能を有する。プレジャッジ処理において、所定数のコマ画像をモニターに表示し、コマ画像ごとにプリント条件を設定することができる。例えば、所定数（例えば、４コマ、６コマ）のコマ画像をモニターに表示し、表示されたコマ画像に対し、プリント枚数、プリントサイズ、画像の補正情報等のプリント条件を設定することができる。このプレジャッジ処理は必ず行なわなければならないものではなく、プレジャッジ処理を省略してプリント処理を行うことも可能である。注文装置１からのオーダー情報の画像データは、ジャッジ処理されてもよく、ジャッジ処理されなくてもよい。
【００５３】
ジャッジ手段は、例えば、色や濃度を補正するための補正情報を入力する機能を提供するものであり、かかる補正情報の入力は必要に応じて設定される。その他の補正情報の設定としては、赤目補正、逆光補正などの特殊補正の設定が例としてあげられる。設定された補正情報は、画像データ、オーダー情報に関連づけられてオーダー情報保存手段に保存される。
【００５４】
プリント用画像データ作成手段は、ジャッジ手段で設定されたプリント条件の補正データ、プリントサイズ等の補正情報に基づいて、それに対応する画像データを画像処理し、プリント用画像データ（ＲＧＢ画像データである）を作成する機能を有している。プリント用画像データ作成手段は、コンピュータプログラムと、ＣＰＵ、メモリ等ハードウェア資源との協働作用によって実現する構成や、また、専用回路で構成された画像処理基板での構成が例示される。画像処理基板としては、例えば、入力メモリ、画像処理回路部、展開メモリにより構成され、画像処理回路部において所定の画像処理が行なわれる。具体的には、プレジャッジ処理等の補正データに基づく色・濃度の補正、設定されたプリントサイズに従ったデータの拡縮処理などである。ここで作成されたプリント用画像データは、プリンタ側に通信手段によって送信される。
【００５５】
注文装置１から受信したオーダー情報の場合、ジャッジ処理されなくとも、プリント用画像データ作成手段によって、プリンタの種類に応じたプリント用画像データが作成される。なお、別実施形態として、注文装置１側から直接にプリンタ側にオーダー情報を送信し、プリンタ側で、プリント用画像データが作成されてもよい。
【００５６】
（名刺プリントの注文処理フロー）
次に、図３のフローチャート、図４〜１６の注文操作画面を用いて注文処理について説明する。
【００５７】
図４のサービス選択画面が表示される。これは基本処理手段２０の機能による（ステップＳ１）。注文者は「ＦＵ：ＤＡ  フーダ」ボタン４０１を指示（タッチ）し、「サービス開始」ボタン４０２を指示する。これによって、図５の「ＦＵ：ＤＡ  フーダ」サービス（名刺プリント作成サービス）の詳細画面に移行し、例えば、「自分名刺」５０１のサービスを選択する（ステップＳ２）。不図示のサービス説明画面が表示され（ステップＳ３）、基本処理手段２０から該当するサービス処理手段４０へ、サービス起動指令がなされる（ステップＳ４）。なお、図４において「カートを確認」ボタン４０３を指示すると図１４に示すようなカート画面が表示され、サービス単位に注文された注文内容が一覧表示される。
【００５８】
サービス処理手段４０は、サービス操作画面の表示を実行する（ステップＳ５）。ここでメディアの挿入は行われていない状態であるとする。したがって、画像データの嵌め込み合成の必要がない第１テンプレートを用いた画像編集を行うことができる。
【００５９】
図６は、テンプレートの選択を行うための画面であり、テンプレート選択部４２３の機能に基づくものである。７００は、選択可能な第１テンプレートが表示されているエリアである。ここには、多数の第１テンプレートがサムネイルで表示されている。表用テンプレートと裏用テンプレートのうち、最初に表用テンプレートを選択する。７１０は、表用テンプレートを表示するエリアである。第１テンプレートは、画像データを嵌め込み合成するエリアはなく、その代りに似顔絵等が表示されるエリアがある。
【００６０】
似顔絵のイラストを有する第１テンプレートを選択する場合、多数の同種の第１テンプレートの中から、注文者が自分の顔に似ている似顔絵が描かれている第１テンプレートを選択することができる。
【００６１】
エリア７００に表示されている多数の第１テンプレートのうち、特定のテンプレート７０１をタッチすると、そのテンプレートが表用テンプレート表示エリア７１０に大きく表示される。現在選択されているテンプレート７０１は、エリア７００において、太い枠で表示され、容易に認識できるようにしている。決定ボタン７１１をタッチすると、選択しているテンプレートが表用テンプレートとして決定される。やり直しボタン７１２をタッチすると、再選択をすることができる。
【００６２】
表用テンプレートが決定すると、図７の画面に移行する。次に、裏用テンプレートを同様に選択する。７２０は、現在選択している裏用テンプレート７０３が表示されるエリアである。表用と同様に決定ボタン７２１とやり直しボタン７２２が設けられている。決定ボタン７２１をタッチすることで、選択しているテンプレートが裏用テンプレートとして決定される。やり直しボタン７２２をタッチすると、再選択をすることができる。
【００６３】
なお、複数種類の名刺プリントを作成する場合には、テンプレートの選択画面から同じような動作を繰り返せばよい。
【００６４】
図８において、６０１ａは名刺の表の編集エリアを示し、６０１ｂは名刺の裏の編集エリアを示す。それぞれのエリアを指示（タッチ）して前面・裏面を切り替えて編集することができる。６０４は、プリント条件を変更するためのボタンエリアを示し、例えば「レイアウト」ボタンを指示すれば、レイアウト編集画面が表示され、任意のレイアウトを選択し、編集エリア６０１ａ、６０１ｂの表示に反映させることができる。
【００６５】
６０２は画像表示エリアである。「流し込み」ボタン６０３を指示して、不図示のメモリ（サンプル画像データを保存する保存部に相当する）から画像データを読み出し、画像表示エリア６０２に一覧表示させることができる。ただし、第１テンプレートによる画像編集を行うときは、画像データの嵌め込みは行わないので、上記機能はグレー表示され、操作することはできない。表示エリア６０５には、既に編集済みの他の名刺がある場合に、当該他の名刺が表示される。
【００６６】
名刺編集エリア中の６０１ｃを指示して、図９に示すように、名前、住所等の文字情報を入力することができる。図１０に示す９０１は、その右の表示内容を表示するか非表示にするかを選択指示するためのボタンである。９０２によって文字フォントを選択でき、９０３によって文字色を選択でき、９０４によって左揃え、中央揃え、右揃えを選択できる。文字編集エリア９０５において、９０６によって文字サイズを選択でき、９０７によって太文字か否かを選択できる。例えば、「名前」を指示することで、文字入力画面が表示され文字入力可能に構成されている。「ＯＫ」ボタン９０８で編集終了し、図１１の画面に移行する。図１１の画面の「ＯＫ」ボタン１００１を指示すれば、図１２のプリント注文内容確認画面に移行する。
【００６７】
図１２の画面中央には、図１１において表示されていた名刺の裏表が表示される。１１０５、１１０６の矢印を指示すると他のページの名刺（表示エリア６０５に表示されていた名刺）が表示される。画面上で「注文枚数」を入力することができる。「他のページに反映」ボタン１１０４を指示すれば、他のページの名刺の注文枚数も同じように入力される。「カートに追加」ボタン１１０１を指示して（ステップＳ１６）、図１４に示すカート登録中画面が表示され、図１５のカート画面に移行する。カート画面表示とその処理は、基本処理手段２０の機能による。
【００６８】
「一覧表示」ボタンを指示すれば、図１３に示すような一覧表示のプリント注文内容確認画面が表示される。表示エリア１２０１には、表示エリア６０２に表示されていた名刺の全てが表示される。この中の任意の名刺を指示して、「ページ毎の表示」ボタン１２０４を指示して図１２の画面のように、当該任意の指示した名刺を表示できる。「カートに追加」ボタン１２０２を指示して（ステップＳ１６）、図１４に示すカート登録中画面が表示され、図１５のカート画面に移行する。
【００６９】
図１５のカート画面において、注文者は注文内容を確認する（ステップＳ１７）。１４０１は注文削除ボタンである。１４０２はサービス名称である。１４０３は商品表示欄である。１４０４は商品情報である。１４０５は注文数である。１４０６は個別料金である。「お客様情報入力」ボタン１４０７を指示して、お客様入力画面（不図示）を表示させてお客様情報（名前、電話番号等）を入力する（ステップＳ１８）。「注文確定」ボタン１４０８を指示して、注文を確定し、注文完了画面（不図示）を表示する（ステップＳ１９）。注文者は、注文を全て終了する場合には（ステップＳ２０）、受付証が発行され（ステップＳ２１）、オーダー情報が画像処理装置５に出力される（ステップＳ２２）。注文を終了しない場合には、ステップＳ１に戻り所望のサービスを選択指示する。
【００７０】
（メディアから画像データを読み込む処理）
以下では、注文者のメディアから画像データを読み込む処理について説明する。注文装置１は、メディアからの画像読み込みタイミングを自由に設定してあり、注文操作中のいつのタイミングでも画像データを読み込むことができる。例えば、上述の図４から図１４までのいずれの操作画面中においても画像データの読み込みが可能である。
【００７１】
図３のフローチャートのステップＳ７において、メディアをメディア駆動部１０に挿入する。挿入された旨の信号を検知部２２１によって検知し、読取制御部２２２がメディアから画像データを読み取る。一覧表示部２１１によって、その時点の操作画面から図１６に示すような画像選択画面に画面表示が切り替わるか、または、画像選択画面が前面表示される。そして、画像表示エリア１５０３に、読み込まれた画像データが表示される（ステップＳ８）。注文者が画像検索を実行する場合（ステップＳ９）、１５０１の絞り込み条件を指示して、「写真の絞り込み」ボタン１５０２を指示し、絞り込み検索し（ステップＳ１０−１）、画像表示エリア１５０３に表示し、所望の画像データが得られるまで繰り返す（ステップＳ１１、Ｓ１２、Ｓ１３）。画像表示エリア１５０３の任意の画像１５０３ａを指示すれば、拡大表示エリア１５０４に拡大して表示される。なお、拡大表示エリア１５０４の初期画像は先頭画像である。次いで、「展開」ボタン１５０５を指示して（ステップＳ１０−２）、画像表示エリア１５０３に表示されている画像データのすべてを、サービス処理手段４０の注文処理に反映させる。
【００７２】
また、メディアが挿入された場合、第１テンプレートの表示に合わせて第２テンプレートの表示を行うようにする。例えば、図６に示す画面において、メディアが挿入されると、第１テンプレートだけでなく、第２テンプレートの表示も合わせてされるようになる。かかる場合、テンプレートが追加された旨の表示を行うことが好ましい。図７においても同様である。したがって、適宜、やり直しボタン７２１，７２２をタッチすることで、テンプレートの入れ替え等を行うことができる。
【００７３】
また、図９や図１０の画面のときに、メディアの挿入がされた場合、その旨の表示と、表示されるテンプレートの追加が行われます、という内容のメッセージを表示させることが好ましい。これにより、現在行っている画像編集を中断して、テンプレートの選択のやり直しを行ったり、別の名刺を作成するときに、すべてのテンプレートが表示されることを認識することができる。
【００７４】
（別実施形態）
上記において、基本処理手段が記憶媒体から画像データを取得する処理を制御する構成であったが、別実施形態として、サービス処理手段または共有ライブラリ手段が記憶媒体読み取り処理を制御実行する構成も可能である。例えば、サービス処理手段が、上述の検知部、読取制御部、絞込み検索部、展開部、一覧表示部の機能を備える構成である。
【００７５】
本実施形態では、第１テンプレートを使用したプリントサービスの例として名刺プリントを例示したが、もちろん、これに限定されるものではなく、他のプリントサービスに場合にも応用できる。また、本発明は、両面プリントに限定されるものではなく、片面プリントの場合にも応用できる。
【符号の説明】
【００７６】
１      注文装置
１０    メディア駆動部
１２    モニター
１３    タッチパネル
１４    ハードディスク
１４０  テンプレート保存部
２０    基本処理手段
２１    基本ＧＵＩ部
２１１  一覧表示部
２２    基本制御部
２２１  検知部
２２２  読取制御部
２２３  絞込み検索部
２２４  展開部
３０    共有ライブラリ手段
４０    サービス処理手段
４１    サービスＧＵＩ部
４２    サービス制御部
４１１  テンプレート表示部
４２１  モード制御部
４２２  テンプレート制御部
４２３  テンプレート選択部
【図１】
2010231380.tif 000003
【図２】
2010231380.tif 000004
【図３】
2010231380.tif 000005
【図４】
2010231380.tif 000006
【図５】
2010231380.tif 000007
【図６】
2010231380.tif 000008
【図７】
2010231380.tif 000009
【図８】
2010231380.tif 000010
【図９】
2010231380.tif 000011
【図１０】
2010231380.tif 000012
【図１１】
2010231380.tif 000013
【図１２】
2010231380.tif 000014
【図１３】
2010231380.tif 000015
【図１４】
2010231380.tif 000016
【図１５】
2010231380.tif 000017
【図１６】
2010231380.tif 000018